(57)【要約】【課題】ピックアップローラの駆動軸にローラ支持部材を回動可能に取り付けて、ローラ支持部材を駆動軸の回りに回動させることにより、ピックアップローラをシート積載台上のシートに接触させて、給送するシート給送装置において、ピックアップローラを退避位置に保持する手段として、電磁クラッチや、駆動伝達系の機械的負荷を利用する装置がある。しかしながら、駆動伝達系の機械的負荷を故意に増やしたり、駆動伝達経路の電磁クラッチを常に接続状態にしたりすると、シート給送装置の消費電力が増えてしまう。【解決手段】磁性体と永久磁石を利用して、ピックアップローラを退避した状態で保持可能とする機構を設けた。【選択図】図２
2011098822.tif 000002
【特許請求の範囲】
【請求項１】
シート積載台に積載されたシートをシート積載台から送り出すピックアップローラと、
送り出されたシートを１枚毎に分離する分離手段と、
前記分離手段と協調して分離したシートを装置内部へ送る送りローラと、
該送りローラを駆動するローラ駆動軸と、
前記ピックアップローラを保持するローラ保持部材とを備えたシート給送装置であって、
前記ローラ保持部材は、前記ピックアップローラが前記シート積載台から離間している退避位置へと、前記ローラ駆動軸を中心として回動可能であり、
前記シート給送装置は、前記ローラ保持部材を覆うカバーと、
前記カバーへ前記ローラ保持部材を接続する接続機構とを更に備え、
前記ローラ保持部材は前記退避位置に回動したとき、前記接続機構により前記退避位置に保持されることを特徴とするシート給送装置。
【請求項２】
前記ローラ駆動軸の回転駆動を前記ローラ保持部材に伝達する駆動伝達手段とを更に有し、
前記接続機構が前記退避位置にある前記ローラ保持部材に及ぼす力は、ピックアップローラを保持した前記ローラ保持部材が重力により押し下げられる力と、前記駆動伝達手段が伝達する回転駆動による前記ローラ保持部材を押し下げる力との和よりも小さいことを特徴とする請求項１に記載のシート給送装置。
【請求項３】
駆動伝達手段は、シート給送方向の前記ローラ駆動軸の回転駆動を、所定トルク以下であれば前記ローラ保持部材に伝達することが可能なトルクリミッタであることを特徴とする、請求項１又は２に記載のシート給送装置。
【請求項４】
前記接続機構は、前記ローラ保持部材と前記ローラ保持部材との一方に設けた永久磁石と、前記ローラ保持部材と前記ローラ保持部材との他方に設けた磁性体を有し、前記永久磁石及び前記磁性体の少なくとも一方は、ローラ保持部材の回動方向と略同じ方向に移動可能に保持されていることを特徴とする請求項１〜３のいずれか１項に記載のシート給送装置。
【発明の詳細な説明】
【技術分野】
【０００１】
本発明は、原稿トレイや給紙トレイ等のシート積載台に積載された原稿や記録材等のシートを、シート積載台上から一枚ずつ送り出すシート給送装置に関するものである。
【背景技術】
【０００２】
従来、スキャナや複写機等に用いられるシート給送装置は、送りローラの駆動軸にローラ支持部材を回動可能に取り付けて、そのローラ支持部材の先端側にピックアップローラを取り付け、ローラ支持部材をローラ駆動軸の回りに回動させることにより、回転するピックアップローラをシート積載台上のシートに接触させて、シート積載台上からシートをピックアップローラで送り出すようになっている。また、シートの給送を行わない場合、ローラ支持部材を逆方向に回動させて、ピックアップローラをシート積載台上のシートに接触しない退避位置まで移動させるようになっている。
【０００３】
このようなシート給送装置においては、ローラ支持部材をソレノイドで回動させるものがある。また、バネクラッチを介してローラ駆動軸とローラ支持部材とを連結し、ローラ駆動軸に連動してローラ支持部材が回動する動作と、ローラ支持部材が停止している状態でローラ駆動軸が回転する相対回動をばねクラッチの作動によって可能にしているものがある（例えば特許文献１参照）。
【先行技術文献】
【特許文献】
【０００４】
【特許文献１】特開平２００１−６３８５５号公報
【発明の概要】
【発明が解決しようとする課題】
【０００５】
しかしながら、上述のバネクラッチを介してローラ駆動軸とローラ支持部材を連繋した構成の場合、ローラ支持部材を退避位置で保持するためには、ローラ駆動軸の駆動を停止したときにローラ支持部材に働く重力によるトルクに抗して、ローラ駆動軸が回転せずに静止していなければならない。駆動系の機械的摩擦等の負荷が小さかったり、ピックアップローラの回転を制御するための電磁クラッチがローラ駆動軸へ駆動力を伝達する駆動伝達経路に使われていたりすると、ローラ駆動軸の駆動を停止したときにピックアップローラやローラ支持部材の自重により、ローラ駆動軸が回転してしまい、ローラ支持部材を退避位置に保持できず、シートをシート積載台に載せるときに邪魔になってしまうという問題が生じる。また、これを回避するために、駆動伝達系の負荷を故意に増やしたり、駆動伝達経路の電磁クラッチを常に接続状態にしたりすると、シート給送装置の消費電力が増えてしまい、環境に配慮した製品ではなくなってしまう。
【課題を解決するための手段】
【０００６】
本発明のシート給送装置は、シート積載台に積載されたシートをシート積載台から送り出すピックアップローラと、送り出されたシートを１枚毎に分離する分離手段と、前記分離手段と協調して分離したシートを装置内部へ送る送りローラと、該送りローラを駆動するローラ駆動軸と、前記ピックアップローラを保持するローラ保持部材とを備えたシート給送装置であって、前記ローラ保持部材は、前記ピックアップローラが前記シート積載台から離間している退避位置へと、前記ローラ駆動軸を中心として回動可能であり、前記シート給送装置は、前記ローラ保持部材を覆うカバーと、前記カバーへ前記ローラ保持部材を接続する接続機構とを更に備え、前記ローラ保持部材は前記退避位置に回動したとき、前記接続機構により前記退避位置に保持されることを特徴とする。
【発明の効果】
【０００７】
本発明によれば、シート積載台に積載れた複数のシートを送り出すピックアップローラと送りだされたシートを１枚毎に分離する分離手段と、分離手段と協調して分離したシートを装置内部へ送り込む送りローラと、前記ピックアップローラの回転軸と送りローラの回転軸とを軸支するローラ保持部材とを備えたシート給送装置において、ムダな電力を使わずに前記ローラ保持部材をシート積載台から離間した退避位置に確実に保持可能な、消費電力の少ない、使い勝手のよいシート給送装置を提供できる。
【図面の簡単な説明】
【０００８】
【図１】本発明の実施例である画像読取装置の概略構成を示す図である。
【図２】本発明の実施例である画像読取装置のピックアップユニット付近の概略構成を示す図である。
【図３】本発明のピックアップユニットの概略構成を説明するための図である。
【発明を実施するための形態】
【０００９】
以下、図面を参照して、本発明の好適な実施の形態を例示的に詳しく説明する。なお、以下の実施形態では、原稿等の読取対象のシートを一枚ずつ給送するシート給送装置を例示して説明するが、本発明はこれに限定されるものではなく、例えば、記録紙等の記録対象のシートを一枚ずつ給送するシート給送装置に適用しても同様の効果を得ることができる。
【００１０】
また、以下の実施形態では、画像処理装置として画像読取装置を例示して説明するが、本発明はこれに限定されるものではなく、例えばプリンタ等の記録対象のシートに画像を記録する画像記録部を有する画像処理装置、読取対象のシートの画像を読み取る画像読取部及び記録対象のシートに画像を記録する画像記録部を有する複写機、ファクシミリ装置等の画像処理装置、或いはこれらの機能を組み合わせた複合機等の他の画像処理装置であっても良く、該画像処理装置に用いられるシート給送装置に本発明を適用することにより同様の効果を得ることができる。
【００１１】
また、以下の実施形態では、画像処理装置が一体的に有するシート給送装置を例示して説明するが、本発明はこれに限定されるものではなく、例えば画像処理装置に対して着脱自在なシート給送装置であっても良く、該シート給送装置に本発明を適用することにより同様の効果を得ることができる。
【実施例１】
【００１２】
本発明の第１実施形態について図面を用いて説明する。図１は、本発明を適用したシート給送装置を備えた画像読取装置の一態様を示す模式側断面図である。
【００１３】
図１において、１００は画像読取装置、１００ａは原稿などの読取対象のシートＳを積載収納するシート積載部、１００ｂは画像読取処理を終えたシートＳを積載収納する排出積載部である。１００ｃはシート搬送路を覆うカバーであり、紙詰まり時等に詰まったシートを取り出せるよう開閉可能に支持されている。１１１はシート積載部に積載されたシートＳをシート積載部（シート積載台）１００ａから送り出すピックアップローラ。１２０は複数枚のシートを一枚に捌く分離部であり、搬送方向に正回転する送りローラ１１３と、それに協調しシートを分離する分離パッド（分離手段）１１４とで構成されている。１２１，１２２，１２３，１２４はシートＳを所定の速度で搬送する搬送ローラ、１３１、１３２，１３３，１３４は各搬送ローラ１２１，１２２，１２３，１２４に押圧するように配置され従動回転する従動ローラであり、各駆動ローラと従動ローラとが対をなし、シートを挟持搬送する。１４０，１５０は画像読取部であって、送られてきたシートＳの表面及び裏面の画像をそれぞれ読み取ることが可能である。なお、分離手段は分離ローラでもよい。
【００１４】
図２は、画像読取装置１００におけるピックアップユニット付近の拡大図である。１０はシート積載部１００ａ上に積載されたシートを画像読取装置内に給送するためのピックアップユニットであり、給送手段としてのピックアップローラ１１１とピックアップローラ１１１を保持するローラ保持部材１１２、後述する送りローラ１１３の回転をピックアップローラ１１１に伝達するための、アイドラギア列１１ｂから構成されている。
【００１５】
ローラ保持部材１１２は、送りローラ１１３の駆動軸に支持され、それを中心に回動可能であり、前記ピックアップローラ１１１をシート積載部１００ａに積載されたシートＳの最も上の一枚に当接する当接位置と、シート積載部１００ａへの積載作業を妨げない退避位置とに移動可能に支持している。
【００１６】
ローラ保持部材１１２にはピックアップローラ１１１を覆う部分にシート状の永久磁石１１２ｘが貼り付けられている。そして、前記カバー１００ｃのローラ保持部材１１２と対向する側には、鉄等の磁性体で出来た吸着部材１１０ｄが、上下方向に移動可能に保持されており、加圧バネ１１０ｓによって下側に付勢されている。そして、ローラ保持部材１１２が退避位置に移動したときローラ保持部材１１２に設けられた永久磁石１１２ｘが吸着部材１１０ｄに吸着することでピックアップローラ１１１を退避位置に保持することができる。ここで、永久磁石１１２ｘと吸着部材１１０ｄとの間の吸着力Ｆは、ピックアップユニット１０に働く重力による押し下げ力Ｗに対して  Ｆ＞Ｗの関係とすることが好適である。なお、ローラの駆動を停止したときのローラ保持部材１１２の降下を妨げる機械的負荷が、例えばＶで表されるときは、吸着力ＦをＦ＞Ｗ−Ｖの関係を満たす範囲で減らしてもよい。
【００１７】
図３は、ピックアップローラ１１１、ローラ保持部材１１２および送りローラ１１３等からなるピックアップユニット１０の平面図である。なお、理解を容易にするために、ローラ保持部材１１２の上面部を透視して示している。図中の矢印Ｘは、シートＳの搬送方向を示している。
【００１８】
ローラ保持部材１１２の図３における上下方向の略中央部には、送りローラ１１３が配設されている。前述のように、送りローラ１１３は、ローラ保持部材１１２を貫通するローラ駆動軸である送りローラ軸１１３ａによって、画像読取装置１００の本体に回転可能に軸支されており、送りローラ軸１１３ａにより回転駆動される。送りローラ１１３の側方にあるローラ保持部材１１２の側壁の内側には、送りローラ軸１１３ａの回転を後述するアイドルギア列１１ｂへ伝達するための送りローラギア１１３ｂが配設され、送りローラ軸１１３ａに固着されている。
【００１９】
ローラ保持部材１１２の搬送方向上流側の部分（図３における右側）には、ピックアップローラ１１１が配設されている。このピックアップローラ１１１のピックアップローラ軸１１１ａはローラ保持部材１１２に回転可能に軸支されている。ピックアップローラ１１１の側方にあるローラ保持部材１１２の側壁の内側には、後述するアイドルギア列１１ｂからの回転をピックアップローラ１１１へ伝達するためのピックアップギア１１１ｂが配設され、ピックアップローラ軸１１１ａに固着されている。
【００２０】
ピックアップギア１１１ｂと送りローラギア１１３ｂとの間には、送りローラ軸１１３ａの回転をピックアップローラ１１１へ伝達するアイドルギア列１１ｂが、ピックアップギア１２ｂ、および送りローラギア１１３ｂに噛合する位置に配設されている。このように、アイドルギア列１１ｂを送りローラギア１１３ｂとピックアップギア１１１ｂとの間に配設することにより、送りローラ１１３およびピックアップローラ１１１を同一方向へ回転させることができる。よって、ピックアップローラ１１１、送りローラ１１３および分離パッド１１４によって、最も上に積載されたシートＳを１枚だけ搬送方向下流側へ給送し、また搬送することができるのである。
【００２１】
送りローラ軸１１３ａにおけるローラ保持部材１１２の外側には、送りローラ軸１１３ａがシート給送時の方向とは逆方向に回転された場合に、送りローラ軸１１３ａの上記逆方向の回転をローラ保持部材１１２へ伝達可能な回転伝達部材３０が配設されている。回転伝達部材３０は、後述するローラ保持部材凸部１１２ｄ、第１カラー３１、第２カラー３２、第１バネクラッチ３３、第２バネクラッチ３４によって構成されている。
【００２２】
ローラ保持部材１１２における送りローラ軸１１３ａの挿嵌部１１３ｃの近傍からは、円筒状に形成されたローラ保持部材１１２の凸部１１２ｄが送りローラ軸１１３ａを内包しつつ図３における上方向に、後述する第１バネクラッチ３３の内側にまで延びて形成されている。ローラ保持部材１１２とローラ保持部材凸部１１２ｄとは、一体構造になっていると共に、送りローラ軸１１３ａは、このローラ保持部材凸部１１２ｄの内部において回転可能になっている。ローラ保持部材凸部１１２ｄの図３における上方向に隣接する位置に配設された、円筒状に形成された第１カラー３１は、送りローラ軸１１３ａに対して回転可能に挿嵌されている。第１カラー３１の略中央部には、後述する第１バネクラッチ３３と第２バネクラッチ３４とを隔離するための隔壁３１ａが設けられている。
【００２３】
第１カラー３１のローラ保持部材凸部１１２ｄから遠い側に隣接する位置には、円筒状に形成された第２カラー３２が配設され、送りローラ軸１１３ａに対して挿嵌され、かつ固着されている。第２カラー３２の端部には、第２バネクラッチ３４の脱落を防止するためのリブ３２ａがもうけられている。これら第１カラー３１、第２カラー３２の外周に第１バネクラッチ３３および第２バネクラッチ３４がそれぞれ巻かれており、ローラ保持部材１１２への、送りローラ軸１１３ａの回転が伝達される。
【００２４】
ローラ保持部材凸部１１２ｄの外周面と第１カラー３１のローラ保持部材凸部１１２ｄ側の外周面には、略螺旋バネ状に形成された第１クラッチ部材としての第１バネクラッチ３３が巻かれている。この第１バネクラッチ３３は、送りローラ軸１１３ａがシート給送方向へ回転した場合にはバネが緩んでバネ径が大きくなり、逆に送りローラ軸１１３ａがシート給送方向とは逆の方向（以下逆方向と呼ぶ）に回転した場合にはバネが締まってバネ径が小さくなるように構成されている。つまり、送りローラ軸１１３ａがシート搬送方向へ回転した場合には、ローラ保持部材凸部１１２ｄと第１カラー３１との間は滑って、ローラ保持部材１１２は第１カラー３１の回転とは無関係に回転または停止することが可能となる。また、送りローラ軸１１３ａが上記逆方向に回転した場合には、ローラ保持部材凸部１１２ｄと第１カラー３１とが一体となって回転または停止する構成となっている。
【００２５】
なお、第１バネクラッチ３３は、送りローラ軸１１３ａがシート給送方向へ回転した場合でも、第１の所定トルクが発生するまではバネが締まったままとなっているように、バネ形状と強さが工夫されているので、第１カラー３１とローラ保持部材凸部１１２ｄは一体となって回転または停止し続ける。以上のように、ローラ保持部材凸部１１２ｄと第１カラー３１と第１バネクラッチ３３とにより、シート給送方向への第１の所定トルクが発生するまでは回転駆動を伝達する、第１のトルクリミッタが構成されている。すなわち、第１の所定トルク以下のトルクであれば、第１のトルクリミッタにより伝達可能である。
【００２６】
第２カラー３２に近い側に延びている第１カラー３１の外周面と、第２カラー３２のリブ３２ａよりも図３における下方向に延びている部分の外周面との両方に渡って、第１バネクラッチ３３と同様に略螺旋バネ状に形成された第２クラッチ部材としての第２バネクラッチ３４が巻かれている。この第２バネクラッチ３４は、第１バネクラッチ３３とは逆の巻き方向に巻かれており、送りローラ軸１１３ａがシート搬送方向へ回転した場合にはバネが締まってバネ径が小さくなり、逆に送りローラ軸１１３ａが上記逆方向へ回転した場合にはバネが緩んでバネ径が大きくなるように構成されている。つまり、送りローラ軸１１３ａがシート搬送方向へ回転した場合には、第１カラー３１と第２カラー３２とは一体となって回転または停止し、送りローラ軸１１３ａが上記逆方向へ回転した場合には、第１カラー３１と第２カラー３２とが滑って別々に回転または停止する構成となっている。
【００２７】
ただし、第２バネクラッチ３４は、送りローラ軸１１３ａが上記逆方向へ回転した場合でも、第２の所定トルクが発生するまではバネが締まったままとなっているように、バネ形状と強さが工夫されているので、第１カラー３１と第２カラー３２とは一体となって回転または停止し続ける。第２の所定トルク以上のトルクが発生した場合は、第１バネクラッチ３３と同様に作用し、バネが緩んでバネ径が大きくなり、第１カラー３１と第２カラー３２とは滑って別々に回転または停止することが可能な構成となっている。以上のように、第１カラー３１と第２カラー３２と第２バネクラッチ３４とにより、上記逆方向への第２の所定トルクが発生するまでは回転駆動を伝達する、第２のトルクリミッタが構成されている。なお、第２の所定トルクは第１の所定トルクと等しくてもよい。
【００２８】
次に図１〜図３を用いて、本発明の第１実施形態に係る画像読取装置におけるシート給送装置について詳細に説明する。
【００２９】
ユーザーは画像を読み取りたいシートをシート積載部１００ａにセットする。画像読取装置が待機状態にあるとき給送ローラとピックアップローラの回転駆動は停止されているが、ローラ保持部材１１２に設けられた永久磁石１１２ｘがカバー１００ｃに上下に移動可能に設けられた吸着部材１１０ｄに吸着されているので、ローラ保持部材１１２はカバー１００ｃに接続されている。このとき、ピックアップローラ１１１がシート積載部１００ａから離間している退避位置に、ローラ保持部材１１２は退避したまま安定して保持されており、シートをセットする作業を妨げることはない。このように、永久磁石１１２ｘと吸着部材１１０ｄは、カバー１００ｃとローラ保持部材１１２とを接続する接続機構の構成要素であり、これらの間の吸着力は接続機構の保持力である。本実施形態の接続機構の構成要素として加圧バネ１１０ｓを含むことは好適であるが、必須ではない。なお、接続機構は磁力によるもののほか、静電気による力や、マジックテープ（登録商標）や係止機構による係止力や、粘着力等どのような力を利用したものでもよい。また、永久磁石１１２ｘをカバー１００ｃに設け、吸着部材１１０ｄをローラ保持部材１１２に設けてもよい。また、加圧バネ１１０ｓを永久磁石１１２ｘのほうに設けてもよい。永久磁石はプラスチックマグネットでもよい。
【００３０】
その後、ユーザーのスタートボタン押下等の操作により画像読取動作が開始されると、不図示の駆動モータが回転を開始し、各搬送ローラが回転を開始する。次いで、不図示の駆動モータから送りローラ軸１１３ａに回転駆動を伝える不図示の電磁クラッチがＯＮされる。電磁クラッチがつながり送りローラ軸１１３ａに駆動力が伝達される。
【００３１】
送りローラ軸１１３ａがシート搬送方向に回転することで、第２カラーも一緒に回転する。すると第２バネクラッチ３４はバネが締まってバネ径が小さくなり、第１カラー３１と第２カラー３２とは一体となってシート搬送方向に回転を開始する。第１カラー３１がシート搬送方向に回転に回転を始めると第１バネクラッチ３３が緩んで、第１カラー３１が第１バネクラッチ３３に対して滑り始めるが、このとき上述したように第１バネクラッチ３３の緩みトルクである第１の所定トルクが伝達されている。第１の所定トルクの伝達により、ピックアップユニット１０に働く押し下げ力よりも、前述した永久磁石１１２ｘの吸着力Ｆとピックアップユニット１０に働く重力による押し下げ力Ｗとの差（Ｆ−Ｗ）のほうが小さくなるように吸着力Ｆが設定されている。このため、送りローラ軸１１３ａがシート搬送方向に回転すると、永久磁石１１２ｘが吸着部材１１０ｄから離間し、ローラ保持部材１１２がシート積載部１００ａ側に回動する。
【００３２】
ローラ保持部材１１２の回動に伴いピックアップローラ１１１は下降して、シート積載部１００ａ上に積載されたシートＳの最上面に当接して該シートＳをピックアップ搬送する。ここで、ピックアップローラ１１１がシートＳに当接することで、ローラ保持部材１１２の回動が規制されるため、第１バネクラッチが緩み第１カラー３１の回転はローラ保持部材凸部１１２ｄに伝わらなくなる。よって、ピックアップローラ１１１がシートＳを押す力はピックアップユニット１０が重力により押し下げられる力と、送りローラ軸１１３ａが上記第１の所定トルクを伝達して、ピックアップユニット１０を押し下げる力との和に略等しくなり、安定した給送が行える。
【００３３】
ピックアップ搬送されたシートＳは、シート規制部材１１５を押し倒しながら、分離部１２０へと送りだされ、分離パッド１１４により確実に一枚に捌かれ、搬送ローラ１２１，１２２と従動ローラ１３１，１３２とからなる各ローラ対で搬送されることで、表面及び裏面画像読取部１４０，１５０に密着した状態で通過する。
【００３４】
そして、シートＳの表面あるいは裏面に形成された画像は、表面及び裏面画像読取部１４０，１５０の読取位置を通過する際にライン走査され、電気信号として外部に出力される。このように画像の読み取りが行われた後、シートＳは搬送ローラ１２３，１２４と従動ローラ１３３，１３４とからなる各ローラ対で搬送され、排出積載部１００ｂへ排出される。
【００３５】
全ての原稿の画像読取が終わると、送りローラ軸１１３ａは上記逆方向へと回転駆動される。前述したように、第２バネクラッチ３４は送りローラ軸１１３ａが反シート搬送方向へ回転した場合でも、所定のトルクが発生するまではバネが締まったままとなっているので、第１カラー３１と第２カラー３２とは一体となって回転を開始する。そして、第１カラー３１が上記逆方向へ回転することで、バネが締まってバネ径が小さくなることで、ローラ保持部材凸部１１２ｄ部に回転を伝える。その結果ローラ保持部材１１２が上記逆方向に回動を始め、ピックアップローラ１１１は退避位置へと移動する。
【００３６】
ピックアップローラ１１１が退避位置へ移動すると、ローラ保持部材１１２に設けられた永久磁石１１２ｘがカバー１００ｃに設けられた吸着部材１１０ｄに吸着し、ピックアップローラ１１１を退避位置で保持する。なお、吸着部材１１０ｄはカバー１００ｃに対して上下方向に移動可能になっており、且つ加圧バネ１１０ｓによって下方向に加圧されているため、カバー１００ｃの高さ方向のバラつきがあっても、常に永久磁石１１２ｘと吸着部材１１０ｄは密着するため、ピックアップローラ１１１は安定して退避位置に保持される。
【００３７】
以上、説明したように、ローラ保持部材１１２に設けられた永久磁石１１２ｘが吸着部材１１０ｄに密着状態で接続されるようにした。これにより、駆動伝達系の機械的負荷を故意に増やすことや、駆動伝達経路の電磁クラッチを常に接続状態にすることなどの、ムダな電力を消費する方法をとることなく、ピックアップローラ１１１が退避した状態になる退避位置に、ローラ保持部材１１２を安定して保持できる。ゆえに、消費電力の少ない、使い勝手のよいシート給送装置を提供できる。
【符号の説明】
【００３８】
１００ 画像読取装置
１００ａ  シート積載部
１００ｂ  排出積載部
１００ｃ  カバー
１１０ｄ  吸着部材
１１０ｓ  加圧バネ
１２０  分離部
１０  ピックアップユニット
１１１  ピックアップローラ
１１１ａ  ピックアップローラ軸
１１１ｂ  ピックアップギア
１１ｂ  アイドラギア列
１１２  ローラ保持部材
１１２ｘ  永久磁石
１１３  送りローラ
１１３ａ  送りローラ軸
１１３ｂ  送りローラギア
１１４  分離パッド
１２１、１２２、１２３、１２４  搬送ローラ
１３１、１３２、１３３、１３４  従動ローラ
１４０  表面読取部
１５０  裏面読取部
３０  回転伝達部材
３１  第１カラー
３２  第２カラー
３３  第１バネクラッチ
３４  第２バネクラッチ
【図１】
2011098822.tif 000003
【図２】
2011098822.tif 000004
【図３】
2011098822.tif 000005